(57)【要約】【課題】回転式ホイルトラップとカバー部材とを備えるデブリトラップ装置において、回転式ホイルトラップの不具合を抑制して安定してデブリを捕捉することができるデブリトラップ装置、及びそれを備えた極端紫外光光源装置を提供する。【解決手段】デブリトラップ１３は、極端紫外光を放出するプラズマの近傍に配置された複数のホイル３１を有し、極端紫外光を通過しプラズマから発生するデブリを捕捉する回転可能なホイルトラップ３０と、ホイルトラップ３０の外周部を包囲してデブリを捕集するカバー部材３５と、カバー部材３５で捕集したデブリをカバー部材３５の外部へ排出するためのデブリ排出管３７と、を備える。さらに、デブリトラップ１３は、デブリ排出管３７がデブリによって閉塞することを検出する閉塞検出部を備える。【選択図】      図２
2016018701.tif 000002
【特許請求の範囲】
【請求項１】
プラズマの近傍に配置された複数のホイルを有し、前記プラズマから放射される光を通過し当該プラズマから発生するデブリを捕捉する回転可能なホイルトラップと、
前記ホイルトラップの外周部を包囲して前記デブリを捕集するカバー部材と、
前記カバー部材で捕集したデブリを前記カバー部材の外部へ排出するためのデブリ排出管と、
前記デブリ排出管が前記デブリによって閉塞することを検出する閉塞検出部と、を備えることを特徴とするデブリトラップ装置。
【請求項２】
前記閉塞検出部は、
前記デブリ排出管の温度を測定する温度測定部を備え、
前記温度測定部で測定した前記デブリ排出管の温度が予め設定した基準温度以下であるとき、前記デブリ排出管が閉塞していると判断することを特徴とする請求項１に記載のデブリトラップ装置。
【請求項３】
前記閉塞検出部は、前記温度測定部を複数備えることを特徴とする請求項２に記載のデブリトラップ装置。
【請求項４】
前記閉塞検出部は、
前記デブリ排出管のデブリ排出側で前記デブリを検出するデブリ検出部を備え、
前記デブリ検出部で検出した前記デブリの有無に基づいて、前記デブリ排出管が閉塞しているか否かを判断することを特徴とする請求項１〜３のいずれか１項に記載のデブリトラップ装置。
【請求項５】
前記デブリ排出管は、略一定周期で、前記デブリを前記カバー部材の外部へ排出し、
前記閉塞検出部は、
前記デブリ検出部が、前記デブリ排出管から排出されるデブリが前記デブリ検出部によるデブリの検出領域を通過するのに必要な時間以上、継続して前記デブリを検出しているとき、前記デブリ排出管が閉塞していると判断することを特徴とする請求項４に記載のデブリトラップ装置。
【請求項６】
前記デブリ排出管は、略一定周期で、前記デブリを前記カバー部材の外部へ排出し、
前記閉塞検出部は、
前記デブリ検出部が、前記デブリ排出管から排出されるデブリの周期に相当する時間以上、継続して前記デブリを非検出であるとき、前記デブリ排出管が閉塞していると判断することを特徴とする請求項４又は５に記載のデブリトラップ装置。
【請求項７】
前記閉塞検出部は、前記デブリ検出部を複数備えることを特徴とする請求項４〜６のいずれか１項に記載のデブリトラップ装置。
【請求項８】
前記デブリ排出管から排出されるデブリを受け止めて溜めるデブリ収容部を備え、
前記デブリ検出部は、前記デブリ排出管と前記デブリ収容部との間の空間を前記デブリの検出領域とし、当該デブリを検出することを特徴とする請求項４〜７のいずれか１項に記載のデブリトラップ装置。
【請求項９】
前記デブリ排出管が前記デブリによって閉塞することを抑制する閉塞抑制部をさらに備えることを特徴とする請求項１〜８のいずれか１項に記載のデブリトラップ装置。
【請求項１０】
前記閉塞抑制部は、
前記カバー部材を加熱して当該カバー部材が捕集するデブリを溶融するカバー加熱部を備えることを特徴とする請求項９に記載のデブリトラップ装置。
【請求項１１】
前記デブリ排出管から排出されるデブリを受け止めて溜めるデブリ収容部を備え、
前記閉塞抑制部は、
前記デブリ収容部を加熱して当該デブリ収容部に溜まるデブリを溶融する収容部加熱部を備えることを特徴とする請求項９又は１０に記載のデブリトラップ装置。
【請求項１２】
前記閉塞抑制部は、
前記デブリ排出管を複数設けることを特徴とする請求項９〜１１のいずれか１項に記載のデブリトラップ装置。
【請求項１３】
極端紫外光を放射する極端紫外光光源装置であって、
前記極端紫外光を放射する原料にエネルギービームを照射して前記原料を励起し、プラズマを発生させるエネルギービーム照射部と、
前記プラズマから放射される光を集光する集光ミラーと、
前記プラズマの発生領域と前記集光ミラーとの間に配置される、前記請求項１〜１２のいずれか１項に記載のデブリトラップ装置と、を備えることを特徴とする極端紫外光光源装置。
【請求項１４】
極端紫外光を放射する極端紫外光光源装置であって、
放電により前記極端紫外光を放射する原料を加熱して励起し、プラズマを発生させる一対の放電電極からなる放電部材と、
前記プラズマから放射される光を集光する集光ミラーと、
前記プラズマの発生領域と前記集光ミラーとの間に配置される、前記請求項１〜１２のいずれか１項に記載のデブリトラップ装置と、を備えることを特徴とする極端紫外光光源装置。
【発明の詳細な説明】
【技術分野】
【０００１】
本発明は、高温プラズマから放出されるデブリを捕捉するデブリトラップ装置、及びそのデブリトラップ装置を備える極端紫外光光源装置に関する。
【背景技術】
【０００２】
近年、半導体集積回路の微細化、高集積化につれて、露光用光源の短波長化が進められている。次世代の半導体露光用光源としては、特に波長１３．５ｎｍの極端紫外光（以下、ＥＵＶ（Extreme Ultra Violet）光ともいう）を放射する極端紫外光光源装置（以下、ＥＵＶ光源装置ともいう）の開発が進められている。
ＥＵＶ光源装置において、ＥＵＶ光を発生させる方法はいくつか知られているが、そのうちの一つに極端紫外光放射種（以下、ＥＵＶ放射種）を加熱して励起することにより高温プラズマを発生させ、その高温プラズマからＥＵＶ光を取り出す方法がある。
このような方法を採用するＥＵＶ光源装置は、高温プラズマの生成方式により、ＬＰＰ（Laser Produced Plasma：レーザ生成プラズマ）方式と、ＤＰＰ（Discharge Produced Plasma：放電生成プラズマ）方式とに分けられる。
【０００３】
ＤＰＰ方式のＥＵＶ光源装置は、極端紫外光放射源を含む放電ガスが供給された電極間に高電圧を印加して、放電により高密度高温プラズマを生成し、そこから放射される極端紫外光を利用するものである。ＤＰＰ方式において、放電を発生させる電極表面にＳｎ（スズ）やＬｉ（リチウム）等の原料を供給し、当該原料に対してレーザビーム等のエネルギービームを照射して当該原料を気化し、その後、放電によって高温プラズマを生成する方法が提案されている。このような方式は、ＬＤＰ（Laser Assisted Gas Discharge Produced Plasma）方式と称されることもある。
【０００４】
一方、ＬＰＰ方式のＥＵＶ光源装置は、レーザ光をターゲット材料に照射し、当該ターゲット材料を励起させてプラズマを生成するものである。
上述したＥＵＶ光源装置では、高温プラズマから種々のデブリが発生する。このようなデブリを捕捉するために、ＥＵＶ光源装置は、ホイルトラップ（フォイル・トラップ）を用いたデブリトラップ装置を備えるのが一般的である。デブリトラップ装置としては、例えば、特許文献１に記載の技術がある。この技術は、回転機能を有するホイルトラップ（回転式ホイルトラップ）と、その回転式ホイルトラップを包囲するカバー部材とを備えるものである。
【０００５】
回転式ホイルトラップは、中央に配置された回転軸を中心として、半径方向に放射状に配置された複数のホイル（薄膜や薄い平板）を備え、上記回転軸を中心に複数のホイルを回転させることでプラズマから飛来するデブリを捕捉する。ホイルに捕捉されたデブリは、回転式ホイルトラップの回転により生じる遠心力によって各ホイルに沿って半径方向外側に移動し、各ホイルから離脱する。
各ホイルから離脱したデブリは、カバー部材によって捕集され、カバー部材内面に付着する。カバー部材は所定の加熱手段によって加熱されており、当該加熱によりカバー部材内面に付着したデブリが固化しないようにしている。カバー部材内面に付着したデブリは、重力によりカバー部材下部に集まり、カバー部材下部から排出管を介してカバー部材の外に排出される。
【先行技術文献】
【特許文献】
【０００６】
【特許文献１】特表２０１２−５１３６５３号公報
【発明の概要】
【発明が解決しようとする課題】
【０００７】
しかしながら、上記特許文献１に記載の技術にあっては、カバー部材の加熱手段に不具合が生じると、カバー部材の加熱が不十分となり、当該カバー部材と熱的に接続されている排出管の温度が下がってしまう。すると、排出管の内壁にデブリが固体化して堆積するようになり、最終的に排出管がデブリによって閉塞されてしまう。
このように何らかの不具合により排出管が閉塞されると、デブリをカバー部材から外部に排出することが不可能となり、カバー部材内にデブリが堆積されてしまう。すると、この溜まったデブリに回転するホイルトラップが接触し、ホイルトラップが破損したり、ホイルトラップが回転不能となったりすることで、デブリの捕捉機能が低下するおそれがある。
そこで、本発明は、回転式ホイルトラップとカバー部材とを備えるデブリトラップ装置において、回転式ホイルトラップの不具合を抑制して安定してデブリを捕捉することができるデブリトラップ装置、及びそれを備えた極端紫外光光源装置を提供することを課題としている。
【課題を解決するための手段】
【０００８】
上記課題を解決するために、本発明に係るデブリトラップ装置の一態様は、プラズマの近傍に配置された複数のホイルを有し、前記プラズマから放射される光を通過し当該プラズマから発生するデブリを捕捉する回転可能なホイルトラップと、前記ホイルトラップの外周部を包囲して前記デブリを捕集するカバー部材と、前記カバー部材で捕集したデブリを前記カバー部材の外部へ排出するためのデブリ排出管と、前記デブリ排出管が前記デブリによって閉塞することを検出する閉塞検出部と、を備える。
このように、デブリ排出管の閉塞を検出するので、カバー部材で捕捉したデブリを外部へ排出できない状況であることを把握し、点検や修理を行うことができる。したがって、カバー部材で捕捉したデブリがカバー部材内部に堆積し、当該デブリとホイルトラップとが接触することを防止することができる。その結果、ホイルトラップの破損やデブリ捕捉機能の低下等の不具合の発生を防止することができる。
【０００９】
また、上記のデブリトラップ装置において、前記閉塞検出部は、前記デブリ排出管の温度を測定する温度測定部を備え、前記温度測定部で測定した前記デブリ排出管の温度が予め設定した基準温度以下であるとき、前記デブリ排出管が閉塞していると判断してもよい。
このように、デブリ排出管の温度が基準温度以下であるとき、冷えて固まったデブリがデブリ排出管を閉塞していると判断することができる。したがって、デブリ排出管の温度を監視するだけの比較的簡易な構成で、デブリ排出管の閉塞を検知することができる。
【００１０】
さらに、上記のデブリトラップ装置において、前記閉塞検出部は、前記温度測定部を複数備えてもよい。これにより、デブリ排出管の温度検出を多重化することができ、より信頼度の高い閉塞検知が可能となる。
また、上記のデブリトラップ装置において、前記閉塞検出部は、前記デブリ排出管のデブリ排出側で前記デブリを検出するデブリ検出部を備え、前記デブリ検出部で検出した前記デブリの有無に基づいて、前記デブリ排出管が閉塞しているか否かを判断してもよい。
これにより、デブリ排出管のデブリ排出側におけるデブリの有無を監視するだけの比較的簡易な構成でデブリ排出管の閉塞を検知することができる。
【００１１】
さらにまた、上記のデブリトラップ装置において、前記デブリ排出管は、略一定周期で、前記デブリを前記カバー部材の外部へ排出し、前記閉塞検出部は、前記デブリ検出部が、前記デブリ排出管から排出されるデブリが前記デブリ検出部によるデブリの検出領域を通過するのに必要な時間以上、継続して前記デブリを検出しているとき、前記デブリ排出管が閉塞していると判断してもよい。
このように、デブリ排出管のデブリ排出側で継続的にデブリを検出している場合、デブリ排出管から排出されたデブリが冷えて固まり、石筍状に堆積してデブリ排出管のデブリ排出口に到達している（もしくは到達しそうである）と判断することができる。
【００１２】
また、上記のデブリトラップ装置において、前記デブリ排出管は、略一定周期で、前記デブリを前記カバー部材の外部へ排出し、前記閉塞検出部は、前記デブリ検出部が、前記デブリ排出管から排出されるデブリの周期に相当する時間以上、継続して前記デブリを非検出であるとき、前記デブリ排出管が閉塞していると判断してもよい。
このように、デブリ排出管のデブリ排出側で所定時間以上デブリを非検出である場合、デブリ排出管が閉塞しており、デブリ排出管からデブリが排出されていないと判断することができる。
【００１３】
さらに、上記のデブリトラップ装置において、前記閉塞検出部は、前記デブリ検出部を複数備えてもよい。これにより、デブリ検出を多重化することができ、より信頼度の高い閉塞検知が可能となる。また、複数のデブリ検出部をデブリ排出管からのデブリの排出方向に沿って配置すれば、デブリ排出管から排出されたデブリが石筍状に成長する状態を監視することができる。
【００１４】
また、上記のデブリトラップ装置において、前記デブリ排出管から排出されるデブリを受け止めて溜めるデブリ収容部を備え、前記デブリ検出部は、前記デブリ排出管と前記デブリ収容部との間の空間を前記デブリの検出領域とし、当該デブリを検出してもよい。
このように、デブリ排出管とデブリ収容部との間でデブリの有無を検出するので、デブリ収容部からデブリが石筍状に成長しデブリ排出管を閉塞する状況も、何らかの不具合によりデブリ排出管が閉塞しデブリが排出できない状況も、適切に検出することができる。
【００１５】
さらにまた、上記のデブリトラップ装置において、前記デブリ排出管が前記デブリによって閉塞することを抑制する閉塞抑制部をさらに備えてもよい。
これにより、カバー部材が捕捉したデブリがカバー部材内部に堆積するのを抑制することができ、カバー部材内部に堆積したデブリがホイルトラップと接触するのを抑制することができる。また、閉塞抑制部に不具合が生じてデブリ排出管が閉塞した場合であっても、閉塞検出部でこれを適切に検出することができるため、安定してデブリトラップ装置を作動することができる。
【００１６】
また、上記のデブリトラップ装置において、前記閉塞抑制部は、前記カバー部材を加熱して当該カバー部材が捕集するデブリを溶融するカバー加熱部を備えてもよい。
このように、カバー部材を加熱することで、カバー部材で捕捉したデブリが冷えて固まるのを防止することができる。また、カバー部材を加熱することで、カバー部材に接続されたデブリ排出管を加熱することができるので、デブリ排出管内部を通過するデブリが冷えて固まるのを防止し、デブリ排出管の閉塞を抑制することができる。
【００１７】
さらに、上記のデブリトラップ装置において、前記デブリ排出管から排出されるデブリを受け止めて溜めるデブリ収容部を備え、前記閉塞抑制部は、前記デブリ収容部を加熱して当該デブリ収容部に溜まるデブリを溶融する収容部加熱部を備えてもよい。
このように、デブリ収容部を加熱することで、デブリ収容部は液状のデブリを収容することができる。したがって、デブリ排出管から排出されたデブリがデブリ収容部から石筍状に成長してデブリ排出管を閉塞するのを抑制することができる。
【００１８】
また、上記のデブリトラップ装置において、前記閉塞抑制部は、前記デブリ排出管を複数設けてもよい。
これにより、１つのデブリ排出管が閉塞しても、残りのデブリ排出管でデブリの排出を継続することができる。そのため、閉塞検出部でデブリ排出管の閉塞を検出してから、デブリ排出管が閉塞したためにカバー部材内部に堆積したデブリにホイルトラップが接触するまでの時間を確保することができる。したがって、ホイルトラップを損傷する前に、確実に点検や修理等の処置を施すことができる。
【００１９】
また、本発明に係る極端紫外光光源装置の一態様は、極端紫外光を放射する極端紫外光光源装置であって、前記極端紫外光を放射する原料にエネルギービームを照射して前記原料を励起し、プラズマを発生させるエネルギービーム照射部と、前記プラズマから放射される光を集光する集光ミラーと、前記プラズマの発生領域と前記集光ミラーとの間に配置される、上記のいずれかのデブリトラップ装置と、を備える。
このように、安定してデブリを捕捉可能なデブリトラップを備えるため、プラズマから発生したデブリからＥＵＶ集光鏡等を保護することができる。そのため、効率良くＥＵＶ光を照射することができる極端紫外光光源装置とすることができる。
【００２０】
さらに、本発明に係る極端紫外光光源装置の一態様は、極端紫外光を放射する極端紫外光光源装置であって、放電により前記極端紫外光を放射する原料を加熱して励起し、プラズマを発生させる一対の放電電極からなる放電部材と、前記プラズマから放射される光を集光する集光ミラーと、前記プラズマの発生領域と前記集光ミラーとの間に配置される、上記のいずれかのデブリトラップ装置と、を備える。
これにより、ＤＰＰ方式の極端紫外光光源装置において、効率良くＥＵＶ光を照射することができる。
【発明の効果】
【００２１】
本発明のデブリトラップ装置では、カバー部材からデブリを排出するデブリ排出管の閉塞を検知することができるため、カバー部材に堆積したデブリとホイルトラップとが接触して当該ホイルトラップの損傷等が発生する前に、適切な処置を施すことができる。すなわち、デブリ捕捉機能が低下するのを防止することができ、安定してデブリを捕捉することができる。
【図面の簡単な説明】
【００２２】
【図１】本実施形態の極端紫外光光源装置を示す概略構成図である。
【図２】第１の実施形態におけるデブリトラップ装置の構成を示す図である。
【図３】ホイルトラップの一例を示す正面図である。
【図４】デブリ排出管の構成を示す図である。
【図５】デブリ排出管が閉塞するまでの流れを説明する図である。
【図６】デブリ排出管が閉塞するまでの流れを説明する図である。
【図７】デブリ排出管が閉塞するまでの流れを説明する図である。
【図８】デブリ排出管が閉塞するまでの流れを説明する図である。
【図９】デブリ排出管を複数設けた図である。
【図１０】第２の実施形態におけるデブリトラップ装置の構成を示す図である。
【図１１】デブリ排出管の閉塞検知方法の一例を示す図である。
【図１２】デブリ排出管の閉塞検知方法の一例を示す図である。
【図１３】デブリ排出管の閉塞検知方法の一例を示す図である。
【図１４】デブリ排出管の閉塞検知方法の一例を示す図である。
【図１５】ＬＰＰ方式の端紫外光光源装置を示す概略構成図である。
【発明を実施するための形態】
【００２３】
以下、本発明の実施形態を図面に基づいて説明する。
（第１の実施形態）
図１は、本実施形態の極端紫外光光源装置を示す概略構成図である。
極端紫外光光源装置（ＥＵＶ光源装置）１００は、半導体露光用光源として使用可能な、例えば波長１３．５ｎｍの極端紫外光（ＥＵＶ光）を放出する装置である。
本実施形態のＥＵＶ光源装置１００は、ＤＰＰ方式のＥＵＶ光源装置であり、より具体的には、放電を発生させる電極表面に供給された高温プラズマ原料に対してレーザビーム等のエネルギービームを照射して当該高温プラズマ原料を気化し、その後、放電によって高温プラズマを発生するＬＤＰ方式のＥＵＶ光源装置である。
【００２４】
ＥＵＶ光源装置１００は、図１に示すように、放電容器であるチャンバ１１を有する。チャンバ１１は、開口を有する隔壁１１ａによって、大きく２つの空間に分割されている。一方の空間は放電空間１１ｂであり、他方の空間は集光空間１１ｃである。
放電空間１１ｂには、各々独立して回転可能な一対の放電電極２１ａ，２１ｂが互いに離間して対向配置されている。放電電極２１ａ，２１ｂは、ＥＵＶ放射種を含む高温プラズマ原料を加熱して励起するための放電部材である。
放電空間１１ｂの圧力は、高温プラズマ原料を加熱励起するための放電が良好に発生するように、真空雰囲気に維持されている。
集光空間１１ｃには、ＥＵＶ集光鏡（集光ミラー）１２と、デブリトラップ１３とが配置されている。
【００２５】
ＥＵＶ集光鏡１２は、高温プラズマ原料が加熱励起されることで放出されるＥＵＶ光を集光し、チャンバ１１に設けられたＥＵＶ取出部１１ｄから、例えば露光装置の照射光学系（不図示）へ導くものである。
ＥＵＶ集光鏡１２は、例えば、斜入射型の集光鏡であり、複数枚の薄い凹面ミラーを入れ子状に高精度に配置した構造を有する。各凹面ミラーの反射面の形状は、例えば、回転楕円面形状、回転放物面形状、ウォルター型形状であり、各凹面ミラーは回転体形状である。ここで、ウォルター型形状とは、光入射面が、光入射側から順に回転双曲面と回転楕円面、もしくは、回転双曲面と回転放物面からなる凹面形状である。
【００２６】
ＥＵＶ集光鏡１２は、反射面形状が回転楕円面形状、ウォルター型形状等いずれかの形状であって、径が互いに異なる回転体形状の凹面ミラーを複数枚備える。ＥＵＶ集光鏡を構成するこれらの凹面ミラーは、同一軸上に、焦点位置が略一致するように回転中心軸を重ねて配置される。このように凹面ミラーを入れ子状に高精度に配置することにより、ＥＵＶ集光鏡１２は、２５°程度以下の斜入射角度のＥＵＶ光を良好に反射し、且つ一点に集光することが可能となる。
【００２７】
また、上記した各凹面ミラーの基体材料は、例えば、ニッケル（Ｎｉ）等である。波長が非常に短いＥＵＶ光を反射させるため、凹面ミラーの反射面は、非常に良好な平滑面として構成される。この平滑面に施される反射材は、例えば、ルテニウム（Ｒｕ）、モリブデン（Ｍｏ）、およびロジウム（Ｒｈ）などの金属膜である。各凹面ミラーの反射面には、このような金属膜が緻密にコーティングされている。
デブリトラップ１３は、放電によるプラズマ生成の結果生じるデブリを捕捉し、当該デブリがＥＵＶ光の集光部へ移動するのを抑制する。デブリトラップ１３の具体的構成については後で詳述する。
【００２８】
放電空間１１ｂに配置された一対の放電電極２１ａ，２１ｂは、金属製の円盤状部材である。放電電極２１ａ，２１ｂは、例えば、タングステン、モリブデン、タンタル等の高融点金属からなる。ここで、２つの放電電極２１ａ，２１ｂのうち、一方の放電電極２１ａがカソードであり、他方の放電電極２１ｂがアノードである。
放電電極２１ａは、その一部が高温プラズマ原料２２ａを収容するコンテナ２３ａの中に浸されるように配置される。放電電極２１ａの略中心部には、モータ２４ａの回転軸２５ａが取り付けられている。すなわち、モータ２４ａが回転軸２５ａを回転させることにより、放電電極２１ａは回転する。モータ２４ａは、制御部４０によって駆動制御される。
【００２９】
また、回転軸２５ａは、例えば、メカニカルシール２６ａを介してチャンバ１１内に導入される。メカニカルシール２６ａは、チャンバ１１内の減圧雰囲気を維持しつつ、回転軸２５ａの回転を許容する。
放電電極２１ｂも、放電電極２１ａと同様に、その一部が高温プラズマ原料２２ｂを収容するコンテナ２３ｂの中に浸されるように配置される。放電電極２１ｂの略中心部には、モータ２４ｂの回転軸２５ｂが取り付けられている。すなわち、モータ２４ｂが回転軸２５ｂを回転させることにより、放電電極２１ｂは回転する。モータ２４ｂは、制御部４０によって駆動制御される。
【００３０】
また、回転軸２５ｂは、例えば、メカニカルシール２６ｂを介してチャンバ１１内に導入される。メカニカルシール２６ｂは、チャンバ１１内の減圧雰囲気を維持しつつ、回転軸２５ｂの回転を許容する。
放電電極２１ａ，２１ｂの表面上に乗った液体状の高温プラズマ原料２２ａ，２２ｂは、放電電極２１ａ，２１ｂが回転することで放電領域に輸送される。
ここで、放電領域とは、両電極２１ａ，２１ｂ間の放電が発生する空間であり、両電極２１ａ，２１ｂの周縁部のエッジ部分間距離が最も短い部分である。
高温プラズマ原料２２ａ，２２ｂとしては、溶融金属、例えば液体状のスズ（Ｓｎ）を用いる。この高温プラズマ原料２２ａ，２２ｂは、放電電極２１ａ，２１ｂに電力を供給する給電用の導電体としても働く。
【００３１】
コンテナ２３ａ，２３ｂは、チャンバ１１内の減圧雰囲気を維持可能な絶縁性の電力導入部１１ｅ，１１ｆを介して、パルス電力供給部２７に接続されている。コンテナ２３ａ及び２３ｂ、並びに高温プラズマ原料であるスズ２２ａ及び２２ｂは導電性である。放電電極２１ａの一部及び放電電極２１ｂの一部はそれぞれスズ２２ａ，２２ｂに浸漬しているので、コンテナ２３ａ，２３ｂ間にパルス電力供給部２７からパルス電力を印加することで、放電電極２１ａ，２１ｂ間にパルス電力を印加することができる。
なお、特に図示しないが、コンテナ２３ａ及び２３ｂには、スズ２２ａ，２２ｂを溶融状態に維持する温度調節機構が設けられている。
【００３２】
パルス電力供給部２７は、コンテナ２３ａ及び２３ｂ間、すなわち放電電極２１ａ及び２１ｂ間にパルス幅の短いパルス電力を印加する。パルス電力供給部２７は、制御部４０によって駆動制御される。
レーザ源２８は、放電領域に輸送された放電電極２１ａ上のスズ２２ａに対してレーザ光（エネルギービーム）を照射するエネルギービーム照射部である。レーザ源２８は、例えばＮｄ：ＹＶＯ４レーザ装置（Neodymium-doped Yttrium Orthovanadate  レーザ装置）である。
このレーザ源２８が放出するレーザ光Ｌは、レーザ光集光部等を介してチャンバ１１の窓部１１ｇに入射し、放電電極２１ａ上に導かれる。レーザ源２８によるレーザ光の照射タイミングは、制御部４０が制御する。
【００３３】
パルス電力供給部２７により放電電極２１ａ，２１ｂにパルス電力を印加した状態で、放電領域に輸送された高温プラズマ原料２２ａに対してレーザ光が照射されると、当該高温プラズマ原料が気化し、両電極２１ａ，２１ｂ間でパルス放電が開始される。その結果、高温プラズマ原料２２ａ，２２ｂによるプラズマＰが形成される。そして、放電時に流れる大電流によりプラズマＰが加熱励起され高温化すると、この高温プラズマＰからＥＵＶ光が放射される。
なお、上述したように放電電極２１ａ，２１ｂ間にはパルス電力を印加するため、上記放電はパルス放電となり、放射されるＥＵＶ光はパルス状に放射されるパルス光となる。
【００３４】
次に、デブリトラップ１３の具体的構成について説明する。
ＥＵＶ光源装置１００では、例えば、高温プラズマＰと接する金属（例えば、一対の放電電極２１ａ，２１ｂ）が上記プラズマＰによってスパッタされて生成する金属粉等のデブリや、高温プラズマ原料であるスズ（Ｓｎ）２２ａ，２２ｂに起因するデブリが発生する。
これらのデブリは、プラズマの収縮・膨張過程を経て、大きな運動エネルギーを得る。すなわち、高温プラズマＰから発生するデブリは高速で移動するイオンや中性原子であり、このようなデブリはＥＵＶ集光鏡１２にぶつかって反射面を削ったり、反射面上に堆積したりして、ＥＵＶ光の反射率を低下させるおそれがある。
【００３５】
そこで、ＥＵＶ光源装置１００では、放電空間１１ｂと集光空間１１ｃに収容されたＥＵＶ集光鏡１２との間に、上記デブリによるＥＵＶ集光鏡１２のダメージを防ぐためのデブリトラップ１３を配置する。デブリトラップ１３は、デブリを捕捉してＥＵＶ光のみを通過させる働きをする。
図２は、デブリトラップ１３をＥＵＶ光の光軸に直交する方向から見た断面図である。デブリトラップ１３は、回転機能を有するホイルトラップ（回転式ホイルトラップ）３０を備える。当該ホイルトラップ３０は、図３に当該ホイルトラップ３０をプラズマ側から眺望した図を示すように、ＥＵＶ光の光軸と一致する軸を中心として半径方向に放射状に配置された複数のホイル３１を備える。なお、ホイル３１は、薄膜（ホイル）または薄い平板（プレート）により構成されており、本明細書では薄膜と平板を併せて「ホイル」と呼ぶ。
【００３６】
ホイル３１は、半径方向内側端部を同心円状に配置された中心支柱３２よって支持され、半径方向外側端部をリング状支持体である第一の外側リング３３及び第二の外側リング３４によって支持されている。第一の外側リング３３はホイル３１の高温プラズマＰ側を支持し、第二の外側リング３４はホイル３１のＥＵＶ出射側を支持している。
ホイル３１は、その平面がＥＵＶ光の光軸に対して平行になるように配置され支持されている。そのため、ホイルトラップ３０を極端紫外光源（高温プラズマＰ）側から見ると、図３に示すように、中心支柱３２、第一の外側リング３３及び第二の外側リング３４によって構成される支持体を除けば、ホイル３１の厚みしか見えない。したがって、高温プラズマＰからのＥＵＶ光のほとんどは、ホイルトラップ３０を通過することができる。
【００３７】
一方、ホイルトラップ３０の複数のホイル３１は、配置された空間を細かく分割することにより、その部分のコンダクタンスを下げて圧力を上げる働きをする。そのため、高温プラズマＰからのデブリＤは、ホイルトラップ３０により圧力が上がった領域で衝突確率が上がるために速度が低下する。速度が低下したデブリＤは、ホイル３１やホイル３１の支持体（中心支柱３２、第一の外側リング３３、第二の外側リング３４）により捕捉される。
【００３８】
なお、ＤＰＰ方式やＬＤＰ方式のＥＵＶ光源装置においては、光軸上の光（高温プラズマＰから０°の角度（放射角が０°）で出射する光）や、ＥＵＶ集光鏡１２の最も内側に位置する凹面ミラーが反射可能な入射角（最小入射角）より小さい入射角でＥＵＶ集光鏡１２に入射する光は、露光には使用されず、むしろ存在しないほうが好ましい。そのため、中心支柱３２は存在しても問題はなく、むしろ中心支柱３２により当該光を積極的に遮光してもよい。また、中心支柱３２は、ＥＵＶ集光鏡１２の構成から定まる最小入射角以下の光を遮光する形状となるので、一般的にはコーン形状となる。よって、中心支柱３２のことをコーン（ｃｏｎｅ）とも呼ぶこともある。
【００３９】
さらに、ホイルトラップ３０は、高温プラズマＰの近くに配置されるため、受ける熱負荷も大きい。よって、ホイルトラップ３０を構成するホイル３１や中心支柱３２は、例えば、モリブデン（Ｍｏ）などの高耐熱材料から形成する。
また、デブリトラップ１３は、図２に示すように、ホイルトラップ３０の外周部分を包囲するカバー部材３５と、カバー部材３５を加熱するカバー加熱部３６と、カバー部材３５に形成されたデブリ排出管３７と、をさらに備える。
【００４０】
カバー加熱部３６は、シースヒータ等により構成されており、カバー部材３５を高温プラズマ原料であるスズの融点（２３５℃）以上に加熱する。このカバー加熱部３６は、制御部４０によってカバー部材３５の温度が高温プラズマ原料であるスズの融点に相当する温度を保持するように制御される。
デブリ排出管３７は、例えば、カバー部材３５と同一材料によって形成された筒状の部材であり、図４に示すように、上下方向に沿って延在し、カバー部材３５の底部に接続されている。デブリ排出管３７の上端部は、カバー部材３５の底部を貫通して当該カバー部材３５内部に連通しており、デブリ排出管３７の下端部はデブリが排出されるデブリ排出口となっている。
【００４１】
ホイルトラップ３０は、上述したように、中心支柱３２の軸を回転軸として回転し、高温プラズマＰからＥＵＶ光と共に放出されるデブリのうち、比較的低速なものを捕捉する。すなわち、高温プラズマ原料であるスズに起因するデブリ（以下、スズＤともいう）は、ホイルトラップ３０の各ホイル３１に捕捉されたり、進行方向がＥＵＶミラー側とは異なる方向となるように偏向されたりする。
このホイルトラップ３０により捕捉されたスズＤは、回転するホイル３１により弾き飛ばされるものや、ホイル３１上に付着・堆積するものがある。
【００４２】
ホイルトラップ３０は、高温プラズマＰの近傍に配置され、高温プラズマＰからの放射を受ける。そのため、各ホイル３１の温度はスズの融点である２３５℃を上回る温度となる。したがって、ホイル３１上に付着・堆積したスズＤは、やがて液化し、図２に示すように、ホイルトラップ３０の回転により生じる遠心力（矢印ＣＦ）によって、各ホイル３１に沿って半径方向外側に移動し、各ホイル３１の外縁部から離脱する。
このホイルトラップ３０から離脱したスズＤは、カバー部材３５内面に付着・堆積する。カバー部材３５は、カバー加熱部３６によってスズＤの融点である２３５℃以上に加熱されているため、カバー部材３５内面に付着したスズＤは直ちに溶融されて液滴程度の大きさとなり、重力によりカバー部材３５下部に集まる。
【００４３】
カバー部材３５下部には、デブリ排出管３７の開口が設けられているため、カバー部材３５下部に集まった溶融したスズＤは、デブリ排出管３７の開口から当該デブリ排出管３７を介してデブリ排出口からカバー部材３５の外に排出される。
また、デブリトラップ１３は、図２に示すように、デブリ排出管３７のデブリ排出口の直下に、デブリ排出管３７から排出されるスズＤを受け止めて溜めるデブリ収容部としてのスズ溜め３８と、スズ溜め３８を加熱する収容部加熱部としてのスズ溜め加熱部３９とを備える。
【００４４】
スズ溜め加熱部３９は、シースヒータ等により構成されており、スズ溜め３８を高温プラズマ原料であるスズの融点（２３５℃）以上に加熱する。このスズ溜め加熱部３９は、制御部４０によってスズ溜め３８の温度が高温プラズマ原料であるスズの融点に相当する温度を保持するように制御される。
すなわち、スズ溜め３８によって受け止められたスズＤは、直ちに溶融され、液化した状態でスズ溜め３８に溜まる。
さらに、デブリトラップ１３は、デブリ排出管３７の温度を検出する温度測定部としての温度センサ４１を備える。温度センサ４１は、例えば接触式の温度センサであり、図２に示すように、デブリ排出管３７に取り付けられている。なお、温度センサ４１として、非接触式の温度センサを用いることもできる。
【００４５】
温度センサ４１は、デブリ排出管３７の表面温度を検出し、その温度検出信号を制御部４０に出力する。
制御部４０は、温度センサ４１から温度検出信号を取得し、デブリ排出管３７の測定温度を求める。次に、制御部４０は、当該測定温度と予め設定した基準温度とを比較して、デブリ排出管３７の固体スズによる閉塞を検知する。具体的には、制御部４０は、デブリ排出管３７の測定温度が基準温度を下回っているとき、デブリ排出管３７がスズＤにより閉塞されていると判断する。
ここで、上記基準温度は、スズの融点（２３５℃）に相当する温度に設定する。なお、当該基準温度は、スズの融点（２３５℃）に相当する温度に対して所定のマージンを設けた温度としてもよい。
【００４６】
制御部４０は、デブリ排出管３７の閉塞を検知すると、少なくともオペレータにこれを報知する。具体的には、例えば、ＥＵＶ光源装置１００全体を制御する上位制御部（不図示）に、エラー信号を送出する。エラー信号を受信した上位制御部は、警告灯を点灯させたりブザーを作動させたりして、オペレータがＥＵＶ発光を手動で停止するよう促す。
なお、エラー信号を受信した上位制御部は、ＥＵＶ光源装置１００におけるＥＵＶ発光を自動的に停止させるように構成してもよい。
ここで、デブリトラップ１３と上記の閉塞検出機能を有する制御部４０とでデブリトラップ装置を構成している。また、温度センサ４１と上記の閉塞検出機能を有する制御部４０とで閉塞検出部を構成している。なお、制御部４０における上記の閉塞検出機能を、上位制御部に持たせるように構成してもよい。
【００４７】
以下、閉塞検出機能について具体的に説明する。
デブリ排出管３７の固体スズによる閉塞を引き起こす要因としては、カバー部材３５を加熱するカバー加熱部３６の不具合と、スズ溜め３８を加熱するスズ溜め加熱部３９の不具合とがある。
カバー加熱部３６に異常が発生した場合、カバー部材３５の温度をスズの融点である２３５℃以上に維持することが困難になる。カバー部材３５の底部に接続されたデブリ排出管３７は、カバー部材３５に熱的に接続されているため、カバー部材３５の温度がスズの融点以上に維持されている場合には、デブリ排出管３７の温度もスズの融点以上の温度となる。一方、カバー加熱部３６に不具合が生じ、カバー部材３５の温度がスズの融点を下回ると、デブリ排出管３７の温度もスズの融点である２３５℃を下回る。
【００４８】
デブリ排出管３７の温度がスズの融点を下回ると、デブリ排出管３７の内部の内壁にデブリ（スズＤ）が固体化して堆積するようになり、最終的にはデブリ排出管３７内部は、固体スズにより閉塞される。
そのため、デブリ排出管３７の温度を監視することで、デブリ排出管３７内部がスズＤにより閉塞された状態、もしくは閉塞されつつある状態を検知することができる。このように、デブリ排出管３７の閉塞を早期に検知することができる。
【００４９】
また、スズ溜め加熱部３９に異常が発生した場合、スズ溜め３８の温度をスズの融点である２３５℃以上に維持することが困難になる。スズ溜め３８の温度がスズの融点以上に維持されている場合には、デブリ排出管３７から液滴となって落ちたスズＤはスズ溜め３８上で液体のままである。一方、スズ溜め加熱部３９に不具合が生じ、スズ溜め３８の温度がスズの融点を下回ると、デブリ排出管３７から液滴となって落ちたスズＤがスズ溜め３８上で固体となる。
【００５０】
スズＤの液滴は、図５に示すように、デブリ排出管３７からスズ溜め３８の同じ箇所（デブリ排出口の直下）に次々と落ちる。そのため、スズ溜め３８上に落ちて固体となったスズＤは、図６に示すように石筍状に堆積する。
この石筍状に堆積した固体スズＤがデブリ排出管３７に到達すると、図７に示すように、デブリ排出管３７のデブリ排出口が固体スズＤで塞がる。すると、カバー加熱部３６によって溶融されたスズＤがデブリ排出管３７から排出されず、図８に示すように、デブリ排出管３７が完全に閉塞する。
【００５１】
ここで、カバー加熱部３６に不具合が生じていない場合、カバー部材３５の加熱は維持されるので、カバー部材３５と熱的に接続されているデブリ排出管３７の加熱も維持される。しかしながら、スズ溜め３８から石筍状に堆積しデブリ排出管３７を閉塞するまでに至った固体スズＤは熱容量が大きい。そのため、デブリ排出管３７が加熱されていたとしても、デブリ排出管３７を閉塞する固体スズＤを溶解し、デブリ排出管３７の閉塞状態を解消することは難しい。したがって、デブリ排出管３７が石筍状に堆積した固体スズＤにより閉塞された場合、デブリ排出管３７の温度はスズの融点を下回る。
そのため、デブリ排出管３７の温度を監視することで、スズ溜め加熱部３９の不具合に起因するデブリ排出管３７の閉塞も検知することができる。
【００５２】
デブリ排出管３７が完全に閉塞すると、スズＤをカバー部材３５から外部に排出することが不可能になり、カバー部材３５内にスズＤが溜まる。そのままカバー部材３５内に溜まるスズＤの量が増大すると、最終的にこの溜まったスズＤにホイルトラップ３０のホイル３１が接触する。すると、ホイルトラップ３０の回転機能が不能となったり、ホイル３１の一部が破損してデブリ阻止性能が低下したりする。
【００５３】
本実施形態では、制御部４０がデブリ排出管３７の温度を監視し、デブリ排出管３７の温度がスズの融点を下回っていることを検知したら、デブリ排出管３７が固体スズＤにより閉塞していると判断しエラー信号を出力する。このように、デブリ排出管３７の温度がスズの融点を下回っていることをもってデブリ排出管３７の閉塞を検知するので、比較的早期に当該閉塞を検知することができる。
【００５４】
また、デブリ排出管３７が完全に閉塞した時点からカバー部材３５内部にスズＤが溜まり、この溜まったスズＤとホイルトラップ３０とが接触する時点までには、ある程度の時間遅延がある。本実施形態のように、デブリ排出管３７の温度がスズの融点を下回ったときにデブリ排出管３７が閉塞していると判断することで、カバー部材３５内部に溜まったスズＤとホイルトラップ３０とが接触する前に、早期にデブリ排出管３７の閉塞を検知することができる。そのため、ホイルトラップ３０自体の破損（ホイル３１等の破損）が発生する前に、露光処理を終了したりカバー部材３５等を修理したりするなどの処置を施すことができ、カバー部材３５内部に溜まったスズにホイルトラップ３０が接触するのを事前に防止することができる。
【００５５】
このように、カバー部材３５内部に溜まったスズにホイルトラップ３０が接触する前に修理することができるので、ホイルトラップ３０自体が破損してしまった後に修理する場合と比較して、簡単な修理でホイルトラップ３０を復旧させることができる。当然ながら修理時間も短縮することができ、ＥＵＶ光源装置１００のダウンタイムを抑えることができる。
【００５６】
ところで、上述したように、カバー部材３５を加熱するカバー加熱部３６の不具合がデブリ排出管３７のスズによる閉塞を引き起こす要因の一つである。カバー加熱部３６の不具合を直接検知する方法としては、カバー部材３５におけるカバー加熱部３６近傍に温度センサを設け、カバー部材３５の温度を監視する方法や、不図示の電源からカバー加熱部３６への給電状況を監視してカバー加熱部３６への給電線の断線等を診断する方法等が考えられる。
【００５７】
しかしながら、カバー部材３５を加熱するカバー加熱部は、一般に、シースヒータが採用され、その故障モードは様々である。例えば、ヒータの一部分が機能せず残りの部分のみが機能する場合がある。この場合、電源からカバー加熱部３６への給電線の断線は発生しない。また、ヒータの機能しない部分の発生位置がランダムであるので、温度センサの設置位置によっては、カバー部材３５の温度低下を把握することが困難となる。これは、スズ溜め３８を加熱するスズ溜め加熱部３９の不具合を直接検知しようした場合にも同様である。
【００５８】
これに対して、本実施形態では、デブリ排出管３７に温度センサ４１を設置し、デブリ排出管３７の温度を監視するので、比較的簡易な構成で、カバー加熱部３６及びスズ溜め加熱部３９の不具合を適切に検知することができる。
また、上述したように、カバー加熱部３６及びスズ溜め加熱部３９のどちらに不具合が生じても、デブリ排出管３７が固体スズによって閉塞され、デブリ排出管３７の温度がスズの融点を下回る。したがって、デブリ排出管３７の温度を監視することで、カバー加熱部３６及びスズ溜め加熱部３９のどちらに不具合が生じた場合であっても、これを確実に検知することができる。
このように、カバー加熱部３６とスズ溜め加熱部３９とに、不具合を検知する手段をそれぞれ設ける必要がないため、装置の小型化とコストの削減とを実現することができる。
【００５９】
さらに、カバー加熱部３６やスズ溜め加熱部３９によって、カバー部材３５やスズ溜め３８を高温プラズマ原料であるスズの融点以上に加熱する。このように、カバー部材３５を加熱することで、カバー部材３５とカバー部材３５に熱的に接続されたデブリ排出管３７とを加熱することができ、カバー部材３５で捕集したデブリ（スズ）によってデブリ排出管３７が閉塞される不具合を抑制することができる。
【００６０】
また、スズ溜め３８を加熱することで、デブリ排出管３７から排出されたデブリ（スズ）を液状のままスズ溜め３８に溜めておくことができる。したがって、スズ溜め３８から石筍状にスズが成長してデブリ排出管３７を閉塞する不具合を抑制することができる。
すなわち、カバー加熱部３６及びスズ溜め加熱部３９で閉塞抑制部を構成している。
このように、閉塞抑制部を備えることで、カバー部材３５が捕捉したデブリがカバー部材３５内部に堆積するのを抑制することができ、カバー部材３５内部に堆積したデブリとホイルトラップ３０とが接触するのを抑制することができる。そのため、ホイルトラップ３０の損傷やデブリ捕捉機能の低下が発生するのを抑制することができる。また、カバー加熱部３６やスズ溜め加熱部３９に不具合が生じてデブリ排出管３７が閉塞した場合であっても、閉塞検出部でこれを適切に検出することができるため、安定してデブリトラップ装置１３を作動することができる。
【００６１】
（第１の実施形態の変形例）
上記実施形態においては、ＥＵＶ光源装置１００を露光用光源として使用した場合、制御部４０がエラー信号を送信してＥＵＶ発光が停止すると、ワーク（ウエハ）の露光処理が中途半端な状態で終了し、当該ワークが無駄になる場合がある。
そこで、エラー信号が送信された時点で、処理中のワークへの残りＥＵＶ照射回数が上記遅延時間中のＥＵＶ発光回数（ワークへのＥＵＶ照射回数）より少ない場合、当該処理中のワークを最後まで露光するようにしてもよい。この場合、エラー信号が送信されてからカバー部材３５に溜まったスズとホイルトラップ３０とが衝突するまでの遅延時間を予め求めておくと共に、当該遅延時間中のＥＵＶ発光回数を予め把握しておけばよい。これにより、エラー信号が送信された後も露光処理を継続可能なワークを作ることができ、露光処理が中途半端な状態で終了するワークを少なくすることができる。
【００６２】
また、上記実施形態においては、デブリ排出管３７に複数個の温度センサ４１を取り付け、温度測定を多重化してもよい。
温度センサ４１は、劣化による接触不良や動作不良を起こすこともある。このような温度センサ４１自体の不具合が発生すると、デブリ排出管３７の温度がスズの融点を下回っておらず、デブリ排出管３７がスズにより閉塞していないにもかかわらず、制御部４０は、温度センサ４１からの温度検出信号をもとにデブリ排出管３７の温度がスズの融点を下回ったと誤認識してしまう。
【００６３】
この場合、制御部４０はエラー信号を上位制御部に送信してしまうため、ＥＵＶ発光が停止される。そして、オペレータは、ホイルトラップ３０に不具合が生じていないにもかかわらず、チャンバ１１を開けてホイルトラップ３０を分解し、デブリ排出管３７が閉塞しているかどうかを点検することになる。このように、デブリ排出管３７が閉塞していないにもかかわらずオペレータが点検作業を行い、異常なしと判断して再びＥＵＶ発光が可能な状態に戻すまでの間、ワークの露光処理を停止しなければならない。
【００６４】
デブリ排出管３７に複数個の温度センサ４１を取り付け、温度測定を多重化すれば、複数の温度センサ４１全てが劣化して接触不良や動作不良を起こすという事態を除けば、デブリ排出管３７がスズにより閉塞されるという不具合をより確実に検知することが可能となる。
すなわち、複数の温度センサ４１のうち一部のみが劣化した場合、劣化した一部の温度センサ４１からの温度検出信号が、その他の正常な温度センサ４１からの温度検出信号とは異なる値となる。
【００６５】
例えば、複数の温度センサ４１から送出される温度検出信号が、デブリ排出管３７の温度がスズの融点を下回った温度に相当する信号と、スズの融点を下回っていない温度に相当する信号とが混在したものとなっている場合、一部の温度センサ４１が劣化したと判断することができる。
この場合、オペレータは、ホイルトラップ３０を分解することなく、温度センサ４１のみを点検、交換すればよい。このように、温度センサ４１の測定エラーに起因する不要なメンテナンスの実施を抑制することが可能となる。したがって、ＥＵＶ光源装置１００の修理時間を大幅に短縮することが可能となる。
【００６６】
さらに、上記実施形態においては、図９に示すように、カバー部材３５の底部に複数のデブリ排出管３７を設けてもよい。なお、図９では、デブリ排出管３７を２個としているが、３個以上であってもよい。また、図９では、温度センサ４１は図示を省略しているが、各デブリ排出管３７にはそれぞれ温度センサ４１を設けるものとする。
スズ溜め３８からデブリ排出管３７に向かって石筍状に堆積される固体スズＤは、必ずしも複数のデブリ排出管３７を同時に閉塞するとは限らない。そのため、デブリ排出管３７を複数設ければ、１つのデブリ排出管３７が固体スズＤにより閉塞されても、残りのデブリ排出管３７が固体スズＤにより閉塞されるまでは、カバー部材３５からスズＤを外部に排出することが可能となる。このように、デブリ排出管３７を複数設けることで、カバー部材３５からスズＤを外部に排出できなくなる状況となるのを防止することができる。
また、複数のデブリ排出管３７が全て固体スズＤにより閉塞されるまでは、ホイルトラップ３０を損傷させることなくＥＵＶ光源装置１００の動作を継続できる。すなわち、デブリ排出管３７を複数設けることで、デブリ排出管３７を１個だけ設けた場合と比較して、より長期間ＥＵＶ光源装置１００の動作を継続できる確率が高くなる。
【００６７】
（第２の実施形態）
次に、本発明の第２の実施形態について説明する。
この第２の実施形態は、上述した第１の実施形態において、デブリ排出管３７の温度を監視することでデブリ排出管３７の閉塞を検知しているのに対し、デブリ排出管３７のデブリ排出口側のデブリの有無を監視することでデブリ排出管３７の閉塞を検知するようにしたものである。
図１０は、第２の実施形態におけるデブリトラップ１３の構成を示す図である。
この図１０に示すように、デブリ排出管３７のデブリ排出側には、デブリの有無を検出するデブリ検出部としての複数の位置センサ４２〜４４が設けられている。位置センサ４２〜４４は、スズ溜め３８に近い側から順に、位置センサ４２、４３、４４の順に配置されている。ここで、位置センサ４４の配置位置は、デブリ排出管３７のデブリ排出口近傍とする。
【００６８】
位置センサ４２は、デブリ排出管３７とスズ溜め３８との間において、デブリ排出管３７を挟んで対向配置された、例えば半導体レーザからなる発光器４２ａと、発光器４２ａからの光を受光する受光器４２ｂとを備える光学式センサである。同様に、位置センサ４３は発光器４３ａと受光器４３ｂとを備え、位置センサ４４は発光器４４ａと受光器４４ｂとを備える。
【００６９】
位置センサ４２〜４４は、それぞれ発光器から放出される光の光路中に対象物が存在するか否かを検出する。光路中に対象物が存在しない場合、発光器から放出される光は、当該対象物に遮光されずにそのまま対向する受光器に到達し、当該受光器により検出される。一方、光路中に対象物が存在する場合には、発光器から放出される光は当該対象物に遮光されるため、対向する受光器には到達しない。そのため、発光器から放出される光は、受光器により検出されない。
すなわち、位置センサ４２〜４４は、発光器から放出される光を受光器で検出するか否かによって、発光器と受光器との間の光路中にスズＤがあるか否かを検出するものである。
これら位置センサ４２〜４４は、スズ溜め３８からカバー部材３５のデブリ排出管３７に向けて石筍状に成長するスズＤをモニタリングしたり、デブリ排出管３７からスズ溜め３８に対して排出されるスズＤをモニタリングしたりするために使用する。
【００７０】
以下、位置センサ４２〜４４を用いて石筍上に成長するスズの成長度合いを検出する手順例を、図１１〜図１４を参照しながら説明する。
スズ溜め３８を加熱するスズ溜め加熱部３９に不具合が発生すると、スズ溜め３８からデブリ排出管３７に向けて石筍状にスズＤが堆積していく。このとき、図１１に示すように、スズＤがスズ溜め３８内に収まっており、位置センサ４２の光路内に到達していない場合には、位置センサ４２の発光器４２ａからの光は、受光器４２ｂにより受光され、検出される。同様に、位置センサ４３及び４４においても、受光器４３ｂ，４４ｂは、発光器４３ａ，４４ａからの光を受光し、検出する。
【００７１】
その後、図１２に示すように、石筍状に成長するスズＤの上端部が位置センサ４２の光路の位置に到達すると、位置センサ４２の発光器４２ａからの光はスズＤによって遮光され、受光器４２ｂには到達しない。よって、発光器４２ａからの光は受光器４２ｂでは検出できない。一方、位置センサ４３及び４４の光路の位置にはスズＤが到達していないので、受光器４３ｂ，４４ｂは、発光器４３ａ，４４ａからの光を受光し、検出する。
すなわち、位置センサ４２の受光器４２ｂで一定時間以上、光を検出しておらず、残りの２つの位置センサ４３及び４４の受光器４３ｂ及び４４ｂでは光を検出している場合、制御部４０は、スズ溜め３８から石筍状に成長したスズＤが位置センサ４２の光路の位置に到達していると判断する。
ここで、上記一定時間は、デブリ排出管３７からスズ溜め３８に向けて放出される液滴状のスズＤが位置センサの発光器からの光を遮光する時間、すなわち、デブリ排出管３７から排出されるスズＤが位置センサのデブリ検出領域を通過するのに必要な時間よりも長い時間に設定する。
【００７２】
その後、さらにスズが石筍状に成長し、図１３に示すように、スズＤの上端部が位置センサ４３の光路の位置に到達すると、位置センサ４３の発光器４３ａからの光はスズＤによって遮光され、受光器４３ｂには到達しない。よって、発光器４３ａからの光は受光器４３ｂでは検出できない。また、位置センサ４２では、受光器４２ｂが発光器４２ａからの光を検出できない状態が続く。
すなわち、位置センサ４２及び４３の受光器４２ｂ及び４３ｂで上記一定時間以上、光を検出しておらず、残りの１つの位置センサ４４の受光器４４ｂでは光を検出している場合、制御部４０は、スズ溜め３８から石筍状に成長したスズＤが位置センサ４３の光路の位置に到達していると判断する。
【００７３】
そして、図１４に示すように、スズＤの上端部がデブリ排出管３７のデブリ排出口に到達すると、石筍状に成長したスズＤが、すべての位置センサ４２〜４４の発光器４２ａ〜４４ａからの光を遮光する。そのため、すべての位置センサ４２〜４４の受光器４２ｂ〜４４ｂは、発光器４２ａ〜４４ａからの光を検出できない。
このように、すべての位置センサ４２〜４４の受光器４２ａ〜４４ａで一定時間以上、光を検出していない場合には、制御部４０は、スズ溜め３８から石筍状に成長したスズＤがデブリ排出管２７に到達していると判断する。
【００７４】
以上のように、複数の位置センサをスズ溜め３８とデブリ排出管３７との間の上下方向に配置し、配置された各位置センサにおける受光器の光検出状態をモニタすることで、スズ溜め３８に落ちたスズＤが石筍状に成長する状態を検知することができる。
特に、位置センサ４４の光路の位置をデブリ排出管３７のデブリ排出口近傍とすることで、デブリ排出管３７がスズＤにより閉塞される直前の状態を検知することが可能となる。
制御部４０は、位置センサ４２〜４４における受光器４２ｂ〜４４ｂの光検出状態に応じたエラー信号を出力する。具体的には、制御部４０は、位置センサ４２〜４４における受光器４２ｂ〜４４ｂの光検出状態に基づいて、スズ溜め３８から石筍状に成長したスズＤの上端部が位置センサ４２の光路の位置に到達したと判断すると、警告灯を点灯させたりするために、上位制御部にエラー信号を送出する。
【００７５】
また、制御部４０は、スズ溜め３８から石筍状に成長したスズＤの状態に応じて異なるエラー信号を送出してもよい。例えば、制御部４０は、石筍状に成長したスズＤの上端部がデブリ排出管３７に近づくほど強い警告を発するようなエラー信号を送出してもよい。
特に、制御部４０は、スズ溜め３８から石筍状に成長したスズＤの上端部が位置センサ４４の光路の位置に到達したと判断したとき、上位制御部に対してＥＵＶ光源装置１００におけるＥＵＶ発光を自動的に停止させるように構成してもよい。
【００７６】
また、制御部４０は、位置センサ４２〜４４の検出信号を用いて、カバー部材３５を加熱するカバー加熱部３６の不具合に起因するデブリ排出管３７の閉塞も検知する。
ＥＵＶ発光は、基本的には一定周波数のパルス発光であるので、ＥＵＶ発光時に発生するデブリ（スズ）の単位時間当たりの発生量もほぼ一定となる。よって、デブリ排出管３７から単位時間あたりに排出されるスズＤの量もほぼ一定となる。
ＥＵＶ光源装置１００では、デブリ（スズ）の発生量、カバー部材３５の容量、スズの粘性等に依存して、デブリ排出管３７から外部に放出されるスズＤは液滴状になる。すなわち、デブリ排出管３７からは、ほぼ一定の間隔で断続的に液滴状のスズＤが排出される。
【００７７】
本実施形態では、図１０に示すように、デブリ排出管３７のデブリが排出される空間（デブリ排出管３７の下側の空間）に、位置センサ４２〜４４を、各位置センサ４２〜４４の光路と液滴状のスズの落下経路とが交差するように配置する。そのため、位置センサ４２〜４４の発光器４２ａ〜４４ａからの光は、スズＤの液滴が位置センサ４２〜４４の光路を通過する際、この液滴により遮光または減光される。
上述したように、デブリ排出管３７が閉塞されていない場合、デブリ排出管３７からはほぼ一定の間隔で断続的に液滴状のスズＤが排出される。したがって、位置センサ４２〜４４の発光器４２ａ〜４４ａから受光器４２ｂ〜４４ｂに到達する光もほぼ一定の間隔で断続的に遮光または減光される。すなわち、受光器４２ｂ〜４４ｂは、発光器４２ａ〜４４ｂからの光をほぼ一定の間隔で断続的に検出する。
【００７８】
一方、カバー部材３５を加熱するカバー加熱部３６の不具合に起因してデブリ排出管３７が閉塞した場合には、デブリ排出管３７からスズＤが排出されないため、位置センサ４２〜４４は連続光を検出する。
すなわち、位置センサ４２〜４４がほぼ一定の周期で断続的に光を検出している場合には、制御部４０は、デブリ排出管３７がスズＤにより閉塞していないと判断し、位置センサ４２〜４４が連続的に光を検出している場合には、制御部４０は、デブリ排出管３７がスズＤにより閉塞されていると判断する。
具体的には、制御部４０は、デブリ排出管３７から排出される液滴状のスズＤの排出周期よりも長い時間、位置センサの発光器からの光が遮光または減光されない場合、デブリ排出管３７がスズＤにより閉塞されていると判断する。
【００７９】
そして、制御部４０は、位置センサ４２〜４４における受光器４２ｂ〜４４ｂの光検出状態に基づいて、デブリ排出管３７が閉塞しスズＤが排出されていないと判断すると、上位制御部にエラー信号を送出する。これにより、ＥＵＶ光源装置１００におけるＥＵＶ発光を自動的に停止させるようにする。
なお、カバー部材３５を新しいものに交換した場合のように、カバー部材３５内部にスズが付着していない場合、デブリ排出管３７が閉塞されていない場合でも、ＥＵＶ発光後ある程度カバー部材３５内部にデブリが溜まらないとデブリ排出管３７からはスズＤが外部に排出されない。この場合、デブリ排出管３７が閉塞されていなくても、位置センサ４２〜４４は連続的に光を検出するため、制御部４０は、デブリ排出管３７がスズＤにより閉塞されていると誤って判断してしまう。
【００８０】
そこで、カバー部材３５が新しい場合のＥＵＶ発光開始からデブリ排出管３７からスズＤが外部に放出されるまでの初期時間を予め求めておき、カバー部材３５が新しい場合には、ＥＵＶ発光開始からこの初期時間経過後に、デブリ排出管３７の閉塞の有無（位置センサ４２〜４４がほぼ一定の周期で断続的に光を検出するか、連続的に光を検出するか）を判断するようにすることが好ましい。
【００８１】
以上のように、本実施形態では、デブリ排出管３７のデブリ排出側に位置センサを配置し、デブリ排出側のデブリの有無を監視することで、スズ溜め３８からデブリ排出管３７に向けて石筍状に成長してデブリ排出管３７が閉塞する場合も、カバー部材３５を加熱するカバー加熱部３６の不具合に起因してデブリ排出管３７が閉塞する場合も検出することが可能となる。また、デブリ排出管３７の閉塞が、カバー加熱部３６の不具合によるものであるのか、スズ溜め加熱部３９の不具合によるものであるのかを特定することができるため、点検および修理に要する時間を短縮することができる。
【００８２】
特に、スズ溜め３８からデブリ排出管３７に向けて石筍状に成長するスズＤを検出することができるので、デブリ排出管３７が完全に閉塞する前に（スズＤがデブリ排出管３７に到達する前に）、デブリ排出管３７の閉塞のリスクを早期に検知することができる。すなわち、デブリ排出管３７が完全に閉塞する前に、ＥＵＶ発光を停止することが可能となる。
【００８３】
（第２の実施形態の変形例）
上記実施形態においては、位置センサを複数設ける場合について説明したが、位置センサは少なくとも１個設置されていればよい。
また、上記実施形態においては、デブリ検出部として、発光器と受光器とで構成する位置センサを用いる場合について説明したが、これに限定されるものではない。例えば、ＣＣＤ等を用いた画像センサを用いて、画像解析によりスズ溜め３８からデブリ排出管３７に向けて石筍状に成長してデブリ排出管３７が閉塞するまでを検出したり、カバー部材３５を加熱するカバー加熱部３６の不具合に起因してデブリ排出管３７が閉塞するのを検出したりしてもよい。
【００８４】
（応用例）
上記各実施形態においては、閉塞検出部として温度センサ４１と位置センサ４２〜４４のいずれかを採用する場合について説明したが、温度センサ４１と位置センサ４２〜４４とを併用してもよい。
さらに、上記各実施形態においては、高温プラズマ原料に照射するエネルギービームとしてレーザを用いる場合について説明したが、レーザに代えてイオンビームや電子ビーム等を用いることもできる。
【００８５】
また、上記各実施形態においては、ＤＰＰ方式のＥＵＶ光源装置に適用する場合について説明したが、ＬＰＰ方式のＥＵＶ光源装置にも適用可能である。ＬＰＰ方式とは、プラズマ生成用ドライバレーザをターゲット材料に照射し、当該ターゲット材料を励起させてプラズマを生成する方式である。
図１５は、ＬＰＰ方式のＥＵＶ光源装置２００を示す概略構成図である。
この図１５に示すように、ＥＵＶ光源装置２００は、光源チャンバ５１を有する。光源チャンバ５１の内部は、真空ポンプ等により真空状態に維持されている。
光源チャンバ５１には、ＥＵＶ放射種である原料（高温プラズマ原料）５２を供給するための原料供給ノズル５３が設けられている。原料供給ノズル５３は、原料供給ユニット５４から供給される原料５２（例えば、液滴状のスズ）を所定のターゲットエリアに供給する。
【００８６】
また、ＥＵＶ光源装置２００は、レーザ光Ｌを放出する励起用レーザ光発生装置（エネルギービーム照射部）５５を備える。励起用レーザ光発生装置５５からのレーザ光Ｌは、レーザ光集光部５６により集光され、チャンバ５１に形成されたレーザ光入射窓部５７を介してチャンバ５１内部へ入射する。チャンバ５１内部へ入射したレーザ光Ｌは、ＥＵＶ集光鏡（集光ミラー）５８の略中央部に設けられたレーザ光通過穴を通って、原料供給ノズル５３から放出される原料５２に照射される。
励起用レーザ光発生装置５５は、例えば、繰り返し周波数が数ｋＨｚであるパルスレーザ装置であり、炭酸ガス（ＣＯ２）レーザ、ＹＡＧレーザなどが使用される。
【００８７】
原料供給ノズル５３からターゲットエリアに供給された原料は、レーザ光Ｌの照射により加熱・励起されて高温プラズマＰとなり、この高温プラズマＰからＥＵＶ光が放射される。放射されたＥＵＶ光は、ＥＵＶ集光鏡５８によりチャンバ５１に形成されたＥＵＶ光取出部５９に向けて反射され、ＥＵＶ集光鏡５８の集光点（中間集光点）に集光されてＥＵＶ光取出部５９から出射する。ＥＵＶ光取出部５９から出射したＥＵＶ光は、ＥＵＶ光源装置２００に接続された図示しない露光装置の照射光学系等に入射する。
なお、上記原料５２は、パルスレーザの照射により加熱・励起されて高温プラズマＰとなるので、ＥＵＶ光の発光はパルス発光となる。
ここで、ＥＵＶ集光鏡５８は、例えばモリブデンとシリコンの多層膜でコーティングされた球面形状の反射鏡であり、励起用レーザ光発生装置５５およびレーザ光入射窓部５７の配置によっては、レーザ光通過穴を必要としない場合もある。
【００８８】
また、高温プラズマ生成用のレーザ光Ｌは、迷光としてＥＵＶ光取出部５９に到達することもある。よって、ＥＵＶ光取出部５９の前方（高温プラズマＰ側）にＥＵＶ光を透過して、レーザ光Ｌを透過させない不図示のスペクトル純度フィルタを配置することもある。
このようなＬＰＰ方式のＥＵＶ光源装置２００において、上述したデブリトラップ１３を、高温プラズマＰとＥＵＶ集光鏡５８との間に配置してもよい。
この場合にも、上述したＤＰＰ方式（ＤＬＰ方式）のＥＵＶ光源装置１００と同様に、デブリトラップ１３は、高温プラズマＰから発生するデブリを捕捉し、ＥＵＶ光のみを通過させる働きをする。
【００８９】
また、上記各実施形態においては、デブリトラップ１３にてスズに起因するデブリを捕捉する場合について説明したが、当該デブリはスズに限定されるものではなく、高温プラズマ原料としてスズ以外の原料を用いた場合には、デブリトラップ１３は使用した高温プラズマ原料に応じたデブリを捕捉可能である。
さらに、上記各実施形態においては、ＥＵＶ光源装置を半導体露光用光源として用いる場合について説明したが、これに限定されるものではなく、例えば、露光用マスクの検査装置等の光源として用いることもできる。
【符号の説明】
【００９０】
１１…チャンバ、１１ａ…隔壁、１１ｂ…放電空間、１１ｃ…集光空間、１１ｄ…ＥＵＶ取出部、１２…ＥＵＶ集光鏡、１３…ホイルトラップ、２１ａ，２１ｂ…放電電極、２２ａ，２２ｂ…高温プラズマ原料、２３ａ，２３ｂ…コンテナ、２４ａ，２４ｂ…モータ、２５ａ，２５ｂ…回転軸、２６ａ，２６ｂ…メカニカルシール、２７…パルス電力発供給部、２８…レーザ源、３１…ホイル、３２…中心支柱、３３…第一の外側リング、３４…第二の外側リング、３５…カバー部材、３６…カバー加熱部、３７…デブリ排出管、３８…スズ溜め、３９…スズ溜め加熱部、４０…制御部、４１…温度センサ、４２ａ〜４２ｃ…発光器、４３ａ〜４３ｃ…受光器、５１…チャンバ、５２…原料、５３…原料供給ノズル、５４…原料供給ユニット、５５…励起用レーザ光発生装置、５６…レーザ光集光部、５７…レーザ光入射窓部、５８…ＥＵＶ集光鏡、５９…ＥＵＶ取出部、１００…極端紫外光光源装置（ＥＵＶ光源装置）、２００…極端紫外光光源装置（ＥＵＶ光源装置）
【図１】
2016018701.tif 000003
【図２】
2016018701.tif 000004
【図３】
2016018701.tif 000005
【図４】
2016018701.tif 000006
【図５】
2016018701.tif 000007
【図６】
2016018701.tif 000008
【図７】
2016018701.tif 000009
【図８】
2016018701.tif 000010
【図９】
2016018701.tif 000011
【図１０】
2016018701.tif 000012
【図１１】
2016018701.tif 000013
【図１２】
2016018701.tif 000014
【図１３】
2016018701.tif 000015
【図１４】
2016018701.tif 000016
【図１５】
2016018701.tif 000017